(57)【要約】      （修正有）【課題】直線的な軸体と外筒とが軸方向には相対移動するが、周方向には相対移動しないようにされている、廻り止め付直動軸受に関するもので、軸方向のボール列が何本あろうとも、廻り止めのために軸体に設ける凹条溝は１本とする、製造コストが安くなる廻り止め付直動軸受を提供する。【解決手段】外筒４に内蔵された複数個のボール列のうち、１つのボール列に対応させてのみ、軸体２に廻り止め用の凹条溝３Ａを設けることとした。【選択図】図１
0003184741.tif 000002
【実用新案登録請求の範囲】
【請求項１】
内周面に軸方向のボール列が複数個配設された円形の外筒と、
該複数個のボール列のうちの１個に対応させた凹条溝が表面軸方向に設けられ、該外筒に挿通される軸体と
を具えたことを特徴とする廻り止め付直動軸受。
【請求項２】
断面が全体として円形で表面軸方向に１本の凹条溝が設けられた軸体と、
該軸体が挿通される円形の外筒と、
該外筒の内周側では前記軸体の前記凹条溝に嵌合され、外周側ではボール軌道台が当てがわれて該外筒に配設された１個の軸方向のボール列と、
該外筒の内周側では前記軸体の前記凹条溝でない部分の表面に接するようにされ、外周側ではボール軌道台が当てがわれて該外筒に配設された複数個の軸方向のボール列と、
前記外筒を収容固着し、前記凹条溝に嵌合されるボール列のボール軌道台へ押圧力を加えるビスを有するハウジングとを具え
たことを特徴とする廻り止め付直動軸受。
【考案の詳細な説明】
【技術分野】
【０００１】
本考案は、直線的な軸体と外筒とが軸方向には相対移動するが、周方向には相対移動しないようにされている、廻り止め付直動軸受に関するものである。
【背景技術】
【０００２】
図３は従来の廻り止め付直動軸受の全体斜視図であり、図４はその要部拡大断面図である。図３，図４において、１は廻り止め付直動軸受、２は軸体、３Ａ，３Ｂ，３Ｃ，３Ｄは凹条溝、４は外筒、５Ａ，５Ｂ，５Ｃ，５Ｄはボール（転動体）である。
図４（１）は図３のＸ−Ｘにおける拡大断面図であり、図４（２）は図３のＹ−Ｙにおける拡大断面図である。
【０００３】
軸体２には、表面軸方向に複数個の凹条溝が設けられている（図示した例では３Ａ〜３Ｄの４個）。軸体２が挿通される外筒４の内周面にも軸方向に複数個の凹条溝が設けられ、その中にポール列がおさめられている。
各ボール列は、軸体２の凹条溝の１つ１つに対応させられている。即ち、ボール５Ａの列は凹条溝３Ａに対応するものであり、ボール５Ｂ，５Ｃ，５Ｄの列はそれぞれ凹条溝３Ｂ，３Ｃ，３Ｄに対応するものである。
このように、軸体２には、外筒４の全てのボール列に対応させて凹条溝が設けられている。
なお、ボール５Ａが属する列のボールは、図示してはいないが、その列のために外筒４内に設けられている凹条溝の軌道内を、循環するようにされている。他のボール列についても同様である。
【０００４】
上記したような廻り止め付直動軸受において、軸体２と外筒４とを軸方向に相対移動させる力が加えられたときは、凹条溝に接している各ボールには、軸方向すなわち凹条溝に沿った方向の力がかかる。そのため、ボールは凹条溝上を軸方向へ滑らかに転動し、軸体２と外筒４とは滑らかに相対移動する。
一方、軸体２と外筒４とを周方向に相対移動させる力（回転力）が加えられたときは、凹条溝に接している各ボールには、凹条溝に対して直角方向の力がかかる。そのため、凹条溝の側縁を乗り越える方向に動こうとする。しかし、側縁を乗り越えることは出来ないので、軸体２と外筒４とは周方向へ相対移動することは出来ない。それゆえ廻り止めがなされる。
【先行技術文献】
【特許文献】
【０００５】
【特許文献１】特開２０１２−００７６４８号公報
【考案の概要】
【考案が解決しようとする課題】
【０００６】
（問題点）
前記したような従来の廻り止め付直動軸受には、製造コストが高いという問題点があった。
（問題点の説明）
従来の廻り止め付直動軸受では、廻り止めの機能を持たせるため、外筒４の複数個のボール列の全てに対応させて、軸体２に複数個の凹条溝を設けていた。しかし、全てのボール列に対応するよう正確に凹条溝を設けるのには高精度の加工を要し、製造コストが高くなっていた。
本考案は、上記したような問題点を解決することを課題とするものである。
【課題を解決するための手段】
【０００７】
前記課題を解決するため、本考案の廻り止め付直動軸受は、内周面に軸方向のボール列が複数個配設された円形の外筒と、該複数個のボール列のうちの１個に対応させた凹条溝が表面軸方向に設けられ該外筒に挿通される軸体と、を具える構成とした。
また、本考案の廻り止め付直動軸受は、断面が全体として円形で表面軸方向に１本の凹条溝が設けられた軸体と、該軸体が挿通される円形の外筒と、該外筒の内周側では前記軸体の前記凹条溝に嵌合され、外周側ではボール軌道台が当てがわれて該外筒に配設された１個の軸方向のボール列と、該外筒の内周側では前記軸体の前記凹条溝でない部分の表面に接するようにされ、外周側ではボール軌道台が当てがわれて該外筒に配設された複数個の軸方向のボール列と、前記外筒を収容固着し、前記凹条溝に嵌合されるボール列のボール軌道台へ押圧力を加えるビスを有するハウジングとを具える構成とすることも出来る。
【考案の効果】
【０００８】
本考案の廻り止め付直動軸受によれば、外筒に設けられている軸方向のボール列が何本あろうとも、廻り止めのために軸体に設ける凹条溝は１本とするので、製造コストが安くなる。
【図面の簡単な説明】
【０００９】
【図１】本考案の廻り止め付直動軸受の全体斜視図
【図２】本考案の廻り止め付直動軸受の要部拡大断面図
【図３】従来の廻り止め付直動軸受の全体斜視図
【図４】従来の廻り止め付直動軸受の要部拡大断面図
【考案を実施するための形態】
【００１０】
以下、本考案の実施形態を図面に基づいて詳細に説明する。
図１は本考案の廻り止め付直動軸受の全体斜視図であり、図２はその要部拡大断面図である。符号は図３，図４のものに対応し、６Ａ，６Ｂ，６Ｃ，６Ｄはボール軌道台、７はビス、８はハウジングである。
図２（１）は図１のＸ−Ｘにおける拡大断面図であり、図２（２）は図１のＹ−Ｙにおける拡大断面図である。図３，図４と同じ符号の部分は、図３，図４のものと同様の構成であり、同様に動作するので、それらの説明は省略する。
【００１１】
本考案では、外筒４に設けられている複数個のボール列に対し、軸体２に設ける凹条溝は１本のみとした。即ち、軸体２には、ボール５Ａが属するボール列に対応する凹条溝３Ａだけを設けることとした。
これは、軸体２と外筒４とが周方向に相対移動する力を受けたとき、凹条溝に嵌合されているボールが、凹条溝の側縁により周方向への移動を阻止される力は相当強力であり、通常予想される力が加わる程度であれば、軸体２の凹条溝が１本だけであっても充分に阻止されるとの考案者の知見に基づくものである。
【００１２】
外筒４に配設されるボール列は図２（１）に示した例では４個であるが、１個は凹条溝３Ａに対応したもの（ボール５Ａの列）であり、それ以外は対応したものではない。
凹条溝３Ａに対応したボール列は、外筒４の内周側では凹条溝３Ａに接するよう内部空間に臨まされ、外周側ではボール軌道台６Ａが当てがわれて外筒４に配設されている。
凹条溝３Ａに対応したものではないボール列は、外筒４の内周側では軸体２の凹条溝３Ａでない部分の表面に接するようにされ、外周側ではボール軌道台（６Ｂなど）が当てがわれて外筒４に配設されている。
なお、言うまでもないが、各ボール軌道台の内側の面、即ちボールと接する側の面には、ボールと嵌合するための凹条溝が設けられている。
【００１３】
そのようにボール列が配設された外筒４は、ハウジング８に収容固着される。そして、凹条溝３Ａに接するボール列のボール軌道台６Ａの背後は、ビス７により押圧力が加えられるようにされる。ビス７は、ハウジング８の壁を通してねじ込み式にされており、ねじを進めると押圧力は増大し、後退させると減少する。
押圧力を加える理由は、ボールが凹条溝３Ａの側縁を乗り越えるのを確実に阻止し、廻り止めの機能をより一層確かなものにするためである。
【００１４】
ボール５Ａが属するボール列のボールは凹条溝３Ａに接しているから、当然のことながら凹条溝３Ａ上を転動する。しかし、他のボール列（ボール５Ｂが属するボール列、ボール５Ｃが属するボール列、ボール５Ｄが属するボール列）のボールは、軸体２の円形外周面に接しつつ転動する。
【００１５】
このような構成の廻り止め付直動軸受において、軸体２と外筒４とを軸方向に相対移動させる力が加えられたとき、凹条溝３Ａに嵌合されたボール列のボール（ボール５Ａ）には、軸方向（即ち凹条溝３Ａに沿った方向）の力がかかるので、凹条溝３Ａ上を滑らかに転動して行く。
凹条溝に嵌合されていない他のボール列のボール（ボール５Ｂ，５Ｃ，５Ｄ）にも、軸方向への力がかかるので、軸体２の円形外周面に接しつつ軸方向へ滑らかに転動して行く。従って、軸体２と外筒４とは、滑らかに相対移動する。
【００１６】
一方、軸体２と外筒４とを周方向に相対移動させる力（回転力）が加えられたときは、凹条溝３Ａに接しているボール列のボール（ボール５Ａ）には、凹条溝に対して直角方向の力がかかるので、凹条溝の側縁を乗り越える方向に動こうとする。しかし、ビス７で押圧力が加えられていることもあり、側縁を乗り越えることは出来ないから、軸体２と外筒４とは周方向へ相対移動することは出来ない（廻り止め）。
【００１７】
軸体２の凹条溝３Ａに接していない他のボール列のボール（ボール５Ｂ，５Ｃ，５Ｄ）にも、同様に周方向への力がかかる。従って、それらのボールは、軸体２の円形外周面に接しつつ周方向へ転動しようとする。これらのボール列は軸体２の凹条溝に嵌合しているわけではないから、他から何の制約もなければ周方向への転動は可能である。しかし、同じ外筒４に配設されているボール５Ａのボール列が、凹条溝３Ａの側縁により周方向への転動が阻止されているので、結局、軸体２と外筒４とは周方向へ相対移動することは出来ない。
【００１８】
なお、ビス７はボールが凹条溝３Ａの側縁を乗り越えるのを一層確実に阻止するためのものであり、そうまでしなくとも側縁を乗り越える恐れはないと考えられる用途の場合には、設ける必要はない。
要は、廻り止め防止のために軸体２に設ける凹条溝を１本だけにし、製造コストを低減させる点にある。
【符号の説明】
【００１９】
１…廻り止め付直動軸受、２…軸体、３Ａ，３Ｂ，３Ｃ，３Ｄ…凹条溝、４…外筒、５Ａ，５Ｂ，５Ｃ，５Ｄ…ボール、６Ａ，６Ｂ，６Ｃ，６Ｄ…ボール軌道台、７…ビス、８…ハウジング
【図１】
0003184741.tif 000003
【図２】
0003184741.tif 000004
【図３】
0003184741.tif 000005
【図４】
0003184741.tif 000006